(57)【要約】【課題】通信用アンテナにおける信号の送受信への影響が少ない形でストラップ通し部が配置されているカメラを提供する。【解決手段】本発明のカメラは、外部との通信が可能なカメラ（１００）であって、金属製の筐体（１）と、該カメラ（１００）を正位置に保持した場合における該カメラ（１００）の側部上側に配置された通信用アンテナ（２１）と、前記側部上側における、該通信用アンテナ（２１）が配置された部分よりもさらに上側に配置されたストラップ通し部（３０）と、を備え、前記ストラップ通し部（３０）が、金属製であり且つ前記筐体（１）と電気的に絶縁されていること、を特徴とする。【選択図】図５
2010039039.tif 000002
【特許請求の範囲】
【請求項１】
外部との通信が可能なカメラであって。
金属製の筐体と、
該カメラを正位置に保持した場合における該カメラの側部上側に配置された通信用アンテナと、
前記側部上側における、該通信用アンテナが配置された部分よりもさらに上側に配置されたストラップ通し部と、を備え、
前記ストラップ通し部が、金属製であり且つ前記筐体と電気的に絶縁されていること、
を特徴とするカメラ。
【請求項２】
請求項１に記載のカメラであって、
前記ストラップ通し部が、所定長さの棒状部材であること、
を特徴とするカメラ。
【請求項３】
請求項２に記載のカメラであって、
前記筐体の前記側部上側には開口部が形成され、
該開口部には、前記筐体に固定されたベース部材と、該ベース部材から延びるとともにそれぞれの貫通孔が設けられた２つの腕部とが配置され、
前記ストラップ通し部の両端は、前記貫通孔のそれぞれに挿入されて前記両腕部を架け渡すように配置されていること、
を特徴とするカメラ。
【請求項４】
請求項３に記載のカメラであって、
前記通信用アンテナを覆う絶縁性のアンテナカバーを備え、
前記腕部は、前記アンテナカバーと一体的に形成された腕カバー部で覆われていること、
を特徴とするカメラ。
【請求項５】
請求項３または４に記載のカメラであって、
前記通信用アンテナを覆う絶縁性のアンテナカバーを備え、
該アンテナカバーの上端部は、湾曲して前記ストラップ通し部の下側を覆っていること、
を特徴とするカメラ。
【発明の詳細な説明】
【技術分野】
【０００１】
本発明は、通信用アンテナ及びストラップ通し部を備えるカメラに関するものである。
【背景技術】
【０００２】
従来、カメラの両肩部に、ストラップ通し部が設けられているカメラがある。このようなカメラは、両肩部のストラップ通し部のそれぞれにストラップの端部を固定することで、カメラを首等から下げることができるようになっている（例えば、特許文献１参照）。
【特許文献１】特開２００５−６５８０５号公報
【発明の開示】
【発明が解決しようとする課題】
【０００３】
しかし、通信機能を有するカメラの場合、カメラに通信用アンテナを配置する必要がある。この場合、通信用アンテナは、信号の送受信をしやすくするために、カメラの肩部に設けることが好ましい。しかし、ストラップ通し部がカメラの肩部に設けられていると、信号の送受信の妨げとなる。
【０００４】
本発明の課題は、通信用アンテナにおける信号の送受信への影響が少ない形でストラップ通し部が配置されたカメラを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、外部との通信が可能なカメラ（１００）であって、金属製の筐体（１）と、該カメラ（１００）を正位置に保持した場合における該カメラ（１００）の側部上側に配置された通信用アンテナ（２１）と、前記側部上側における、該通信用アンテナ（２１）が配置された部分よりもさらに上側に配置されたストラップ通し部（３０）と、を備え、前記ストラップ通し部（３０）が、金属製であり且つ前記筐体（１）と電気的に絶縁されていること、を特徴とするカメラ（１００）である。
請求項２に記載の発明は、請求項１に記載のカメラ（１００）であって、前記ストラップ通し部（３０）が、所定長さの棒状部材であること、を特徴とするカメラ（１００）である。
請求項３に記載の発明は、請求項２に記載のカメラ（１００）であって、前記筐体（１）の前記側部上側には開口部（１ａ）が形成され、該開口部（１ａ）には、前記筐体（１）に固定されたベース部材（３１ａ）と、該ベース部材（３１ａ）から延びるとともにそれぞれに貫通孔（２６ａ）が設けられた２つの絶縁性の腕部（２６）とが配置され、前記ストラップ通し部（３０）の両端は、前記貫通孔（２６ａ）のそれぞれに挿入されて前記両腕部（２６）を架け渡すように配置されていること、を特徴とするカメラ（１００）である。
請求項４に記載の発明は、請求項３に記載のカメラ（１００）であって、前記通信用アンテナ（２１）覆う絶縁性のアンテナカバー（２８）を備え、前記腕部（３１ｃ）は、前記アンテナカバー（２８）と一体的に形成された腕カバー部（２８ｃ）で覆われていること、を特徴とするカメラ（１００）である。
請求項５に記載の発明は、請求項３または４に記載のカメラ（１００）であって、前記通信用アンテナ（２１）覆う絶縁性のアンテナカバー（２８）を備え、該アンテナカバー（２８）の上端部（２８ｂ）は湾曲して前記ストラップ通し部（３０）の下側を覆っていること、を特徴とするカメラ（１００）である。
なお、符号を付して説明した構成は、適宜改良してもよく、また、少なくとも一部を他の構成物に代替してもよい。
【発明の効果】
【０００７】
本発明によれば、通信用アンテナにおける信号の送受信への影響が少ない形でストラップ通し部が配置されているカメラを提供することができる。
【発明を実施するための最良の形態】
【０００８】
以下、添付の図面を参照して、本発明の一実施形態について説明する。なお、以下に示す各図には、説明と理解を容易にするために、ＸＹＺ直交座標系を設けた。この座標系では、撮影者が光軸を水平として横長の画像を撮影する場合のカメラの位置（本明細書において、正位置という）において撮影者から見て左側に向かう方向をＸプラス方向とする。また、正位置において上側に向かう方向をＹプラス方向とする。さらに、正位置において被写体に向かう方向をＺプラス方向とする。
【０００９】
図１は本発明の一実施形態に係るカメラ１００の外観を示す正面図、図２はその上面図、図３は側面図である。図示するようにカメラ１００は、例えばマグネシウム（ＭＧ）金属等で形成された筐体１により、後述するＧＰＳアンテナ２１の周辺以外の略全周が覆われている。また、カメラ１００のＸマイナス側には、撮影者によって保持される保持部２がＺプラス方向である前側に膨出して設けられている。
【００１０】
カメラ１００の前面（Ｘプラス側面）には沈動式のレンズ鏡筒３が設けられ、保持部２とレンズ鏡筒３との間の上側にはファインダ装置４が配設されている。
【００１１】
カメラ１００の上面（Ｙプラス側面）には、カメラ１００の電源をオンオフする電源ボタン５、半押し及び全押し操作可能なレリーズボタン６、撮影レンズをズーム作動させるズームレバー７、各種のモード設定を行うモード設定ダイヤル８などが設けられている。
【００１２】
なお、カメラ１００の内部には、いずれも図示しないが、メイン基板、メモリカードスロット、電源電池、閃光装置などが配置されている。また筐体１の背面（Ｚマイナス側面）には撮影画像や撮影情報等を表示する液晶モニタが配置されている。
【００１３】
図４，図５はそれぞれ図３のカメラ１００のＡ−Ａ線断面図、Ｂ−Ｂ線断面図の一部拡大図である。図５に示すように、カメラ１００の内部には、無線通信ユニット２０が配置されている。無線通信ユニット２０は、ＧＰＳ（Ｇｌｏｂａｌ  Ｐｏｓｉｔｉｏｎｉｎｇ  Ｓｙｓｔｅｍ）衛星からの信号を受信するＧＰＳアンテナ２１と、通信制御を行うＩＣチップ２２とが、回路基板２３上に取り付けられた構成となっている。本実施形態において、無線通信ユニット２０は、ＧＰＳアンテナ２１が上側（Ｙプラス側）に、ＩＣチップ２２が下側（Ｙマイナス側）となるようにカメラ１００に取り付けられる。
【００１４】
ＧＰＳユニット２０の回路基板２３は、図示しないビスによって、筐体１に固定されたフレーム２４にねじ止めされている。ＧＰＳユニット２０とフレーム２４は、ねじを介して電気的に接続され、フレーム２４はボディーアースとして機能している。
【００１５】
カメラ１００のＸプラス側であってＹプラス側、すなわち正位置で保持した際の撮影者からみてカメラ１００の左側肩部となる部分は、筐体１で覆われておらず、筐体１のその部分には開口部１ａが設けられている。
【００１６】
その開口部１ａにおけるカメラ１００の上部（Ｙプラス側）には、図示しない閃光装置を収納する閃光装置収納部２５が設けられている。その閃光装置収納部２５は、ＡＢＳ樹脂等の部材により凹状に形成されている。閃光装置収納部２５のＸプラス側面は、ストラップ通し部３０を保持する保持部３１のベース部材３１ａであり、そのベース部材３１ａからはＺプラス側に２本の腕部２６が延びている、その腕部２６にはそれぞれ貫通孔２６ａが設けられている。その貫通孔２６ａには例えばステンレス（ＳＵＳ）である金属製の細い棒状部材が挿通されて、腕部２６と腕部２６との間を架け渡してストラップ通し部３０を形成している。
【００１７】
上述のＧＰＳアンテナ２１も、筐体１の開口部１ａ内に配置されている。ＧＰＳアンテナ２１は、ＡＢＳ樹脂等の不透明なプラスチック製のアンテナカバー２８によって覆われている。このアンテナカバー２８により、ＧＰＳアンテナ２１は、ＧＰＳ衛星からの電波を受信可能な状態を保ちつつ、視覚的に隠蔽される。そして、アンテナカバー２８の下端部２８ａは屈曲形成され、図５に示すように、筐体１の内側に嵌合されている。
【００１８】
アンテナカバー２８の上端（Ｙプラス側）の中央部２８ｂは、湾曲し、ストラップ通し部３０の下側において傾斜面を形成している。ストラップを取り付ける際に、ストラップはこの傾斜面にガイドされ、ストラップの取り付けが容易になる。
【００１９】
またアンテナカバー２８の上端（Ｙプラス側）両端部２８ｃは、図３及び図４に示すようにＹプラス方向に延び、腕部２６をＸプラス方向及びＸ方向の両側から包囲している。この包囲により、ストラップ通し部３０が貫通孔２６ａに挿通されている部分を視覚的に隠蔽している。
【００２０】
次に、本実施形態のカメラ１００の動作について説明する。まず、カメラ１００の撮影時において、ＧＰＳアンテナ２１はＩＣチップ２２に設けられた制御部からの指示によりＧＰＳ衛星から位置情報を取得する。この際、アンテナカバー２８は絶縁性の電波を通す部材で形成されているので、ＧＰＳアンテナ２１はＧＰＳ衛星が発する位置情報を受信することができる。
【００２１】
このとき、金属製のストラップ通し部３０がＧＰＳアンテナ２１の上部（Ｙプラス側）に配置されているが、ストラップ通し部３０は、細い棒状部材で製造され、また、筐体１と電気的に絶縁されているので、電波の受信に及ぼす影響が小さい。
【００２２】
以上、本実施形態によると、以下の効果を有する。
（１）ＧＰＳアンテナ２１の上側に配置されたストラップ通し部３０は、ＧＰＳアンテナ２１における電波の受信の妨げとならないようその影響を少なくする必要がある。この観点からすると、ストラップ通し部３０は全て電気絶縁体であるプラスチック製とすることが望ましい。しかし、ストラップ通し部３０をプラスチック製とすると、強度的に不十分である。このため、本実施形態では、ストラップ通し部３０を、強度を有するＳＵＳ等の金属製で製造している。その一方で受信の妨げとならないように、筐体１と絶縁された絶縁部材の腕部２６で保持している。したがってストラップ通し部３０としての強度を保ちつつ、電波の受信に対する影響を小さくすることができる。
（２）腕部２６は、アンテナカバー２８と一体形成された腕カバー部２８ｃで覆われるため、美観が確保されるとともに、外部からの衝撃に対して腕部２６の折損等の損傷を防止することができる。
（３）アンテナカバー２８の上端（Ｙプラス側）の中央部２８ｂは、湾曲した傾斜面を形成し、ストラップ通し部３０の下面を形成している。これにより、外部から図示しないストラップを取り付ける際に、ストラップが傾斜面にガイドされるので、ストラップの取り付けが容易になる。
（４）ＧＰＳアンテナ２１は、カメラ１００の側部上側に配置されるので、上空からの信号を受信しやすい。またＧＰＳアンテナ２１が保持部（グリップ）２側（図示左側）と反対側に設けられているので、ＧＰＳアンテナ２１の上部を手で覆ってしまう可能性も低い。
【００２３】
（変形形態）
以上、説明した実施形態に限定されることなく、以下に示すような種々の変形や変更が可能であり、それらも本発明の範囲内である。
（１）本実施形態では、カメラとしてコンパクトカメラについて説明した。しかし、これに限らず、一眼レフカメラなどでもよい。また、カメラ以外の携帯機器、例えば携帯電話機やモバイル式のパーソナルコンピュータ、あるいは携帯式ＡＶ装置などにも本発明を適用できる。
（２）また、本実施形態では、ＧＰＳアンテナ及びストラップ通し部をカメラのＸプラス方向側面のＹプラス方向上部に配設した。しかし、ＧＰＳアンテナ及びストラップ通し部の位置はこれに限定されず、例えば、Ｘマイナス方向側面のＹプラス方向上部であってもよい。
（３）また、本実施形態では、通信用アンテナとしてＧＰＳアンテナについて説明したが、これに限らず、ＷＩＦＩ等の他の無線通信用のアンテナであってもよい。
（４）本実施形態のアンテナカバー及びストラップ通し部の構造は、適宜種々の変形や変更が可能で、本実施形態及び変形形態は、適宜組合せて用いることもできるが、詳細な説明は省略する。
【図面の簡単な説明】
【００２４】
【図１】本発明の一実施形態に係るカメラの正位置状態の外観を示す正面図である。
【図２】図１のカメラの上面図である。
【図３】図１のカメラの側面図である。
【図４】図３のカメラのＡ−Ａ線断面図の一部拡大図である。
【図５】図３のカメラのＢ−Ｂ線断面図の一部拡大図である。
【符号の説明】
【００２５】
１：筐体、１ａ：開口部、２１：通信用アンテナ、２８：アンテナカバー、２８ｃ：腕カバー部、３０：ストラップ通し部、３１ｃ：貫通孔、３１ｂ：腕部、１００：カメラ
【図１】
2010039039.tif 000003
【図２】
2010039039.tif 000004
【図３】
2010039039.tif 000005
【図４】
2010039039.tif 000006
【図５】
2010039039.tif 000007